(57)【要約】【課題】  文字等のオブジェクト色とその背景色の配色を色彩感覚的に良く違和感も少ない配色に効率よく設定できるようにする。【解決手段】  メール等の文字表示エリアの背景色と文字色の配色を決める際に、携帯電話端末は、「文字色×背景色」の装飾指定用ウィンドウ３０をディスプレイに表示する。このウィンドウ３０には、方向指示デバイスの方向指示と決定ボタンによる決定指示に対応するように、各背景色のカラーパレット３１と各文字色のカラーパレット３２が配される。背景色パレット３１内で所望の背景色が選択されると、文字色パレット３２内の各アイコンに割り当てられる文字色は、その背景色に対して色彩感覚的に良く違和感も少ない色を表すものに変更される。【選択図】  図４
2008097197.tif 000002
【特許請求の範囲】
【請求項１】
少なくともオブジェクトを含む画像を表示するための表示部と、
ユーザによる操作に応じた操作信号を発生する少なくとも第１及び第２の操作子を備えた操作部と、
オブジェクトが配される所定の表示エリアを、上記表示部の画面内に表示するエリア表示制御部と、
上記表示部の上記所定の表示エリアに対して付加可能な複数の第１の装飾候補が各々割り当てられた複数の第１の装飾アイコンからなる第１の装飾アイコン群と、上記所定の表示エリア内に配される全オブジェクトに対して付加可能な複数の第２の装飾候補が各々割り当てられた複数の第２の装飾アイコンからなる第２の装飾アイコン群とを、上記表示部の画面上に表示させるアイコン表示制御部と、
上記アイコン表示制御部により表示されている第１の装飾アイコン群の中から、上記操作部の第１の操作子の操作に応じて所望の第１の装飾アイコンが選択された時、当該所望の第１の装飾アイコンに割り当てられている第１の装飾候補に対して視覚特性に基づく複数の第２の装飾候補を決定し、当該決定された複数の第２の装飾候補を各々表す複数の第２の装飾アイコンからなる第２の装飾アイコン群を、上記アイコン表示制御部を通じて、上記第１の装飾アイコン群と共に上記表示部の画面上に表示させるアイコン変更表示制御部と、
上記操作部の第１の操作子の操作に応じて上記第１の装飾アイコン群から選択された所望の第１の装飾アイコンに割り当てられている第１の装飾候補と、上記操作部の第２の操作子の操作に応じて上記第２の装飾アイコン群から選択された所望の第２の装飾アイコンに割り当てられている第２の装飾候補とを求め、上記操作部の所定の決定指示操作に応じてそれら第１の装飾候補及び第２の装飾候補の確定を行う確定制御部と、
上記確定制御部で確定された上記第１の装飾候補により上記所定の表示エリアへ装飾を付加すると共に、上記確定制御部で確定された上記第２の装飾候補により上記所定の表示エリア内に配される全オブジェクトへ装飾を付加する装飾制御部とを有する、
ことを特徴とする携帯端末。
【請求項２】
上記アイコン表示制御部は、上記表示部の上記所定の表示エリア内に配置可能な複数の異なる種類のオブジェクト候補が各々割り当てられた複数の第３の装飾アイコンからなる第３の装飾アイコン群と、上記複数の異なる種類のオブジェクト候補に対して各々付加可能な複数の第３の装飾候補が各々割り当てられた複数の第４の装飾アイコンからなる第４の装飾アイコン群とを上記表示部の画面上に表示させ、
上記アイコン変更表示制御部は、上記アイコン表示制御部により表示されている第３の装飾アイコン群の中から、上記操作部の第１の操作子の操作に応じて所望の第３の装飾アイコンが選択された時、当該所望の第３の装飾アイコンに割り当てられているオブジェクト候補に対して視覚特性に基づく複数の第４の装飾候補を決定し、当該決定された複数の第４の装飾候補を各々表す複数の第４の装飾アイコンからなる第４の装飾アイコン群を、上記アイコン表示制御部を通じて、上記第３の装飾アイコン群と共に上記表示部の画面上に表示させ、
上記確定制御部は、上記操作部の第１の操作子の操作に応じて上記第３の装飾アイコン群から選択された第３の装飾アイコンに割り当てられている所望のオブジェクト候補と、上記操作部の第２の操作子の操作に応じて上記第４の装飾アイコン群から選択された所望の第４の装飾アイコンに割り当てられている第４の装飾候補とを求め、上記操作部の所定の決定指示操作に応じてそれらオブジェクト候補及び第４の装飾候補の確定を行い、
上記装飾制御部は、上記確定制御部で確定された上記第４の装飾候補が付加されたオブジェクト候補を上記所定の表示エリアの所定位置へ配置する装飾を施すことを特徴とする請求項１記載の携帯端末。
【請求項３】
上記装飾制御部は、上記所定の表示エリアへ上記第１の装飾候補として背景色を付加し、上記全オブジェクトへ第２の装飾候補としてオブジェクト色を付加することを特徴とする請求項１記載の携帯端末。
【請求項４】
上記装飾制御部は、上記オブジェクト候補へ上記第４の装飾候補としてオブジェクト色を付加することを特徴とする請求項２記載の携帯端末。
【請求項５】
上記操作部の第１の操作子は、上下方向に指示可能な操作子であり、上記操作部の第２の操作子は、左右方向に指示可能な操作子であり、
上記アイコン表示制御部は、上記第１の装飾アイコン群に含まれる複数の第１の装飾アイコンを上下方向に配列して表示し、上記第２の装飾アイコン群に含まれる複数の第２の装飾アイコンを左右方向に配列して表示すると共に、第１の装飾アイコン群に含まれる第１の装飾アイコンの一つと、第２の装飾アイコン群に含まれる第２の装飾アイコンの一つとが交差するように表示し、上記第１の操作子の操作に応じて上記第１の装飾アイコン群を上又は下方向に移動させ、上記第２の操作子の操作に応じて上記第２の装飾アイコン群を左又は右方向に移動させることにより、上記交差する装飾アイコンを移動表示させ、
上記確定制御部は、上記操作部の所定の決定指示操作に応じて、上記交差している第１の装飾アイコンに割り当てられている第１の装飾候補と、上記交差している第２の装飾アイコンに割り当てられている第２の装飾候補とを同時に確定することを特徴とする請求項１記載の携帯端末。
【請求項６】
上記操作部の第１の操作子は、上下方向に指示可能な操作子であり、上記操作部の第２の操作子は、左右方向に指示可能な操作子であり、
上記アイコン表示制御部は、上記第３の装飾アイコン群に含まれる複数の第３の装飾アイコンを上下方向に配列して表示し、上記第４の装飾アイコン群に含まれる複数の第４の装飾アイコンを左右方向に配列して表示すると共に、第３の装飾アイコン群に含まれる第３の装飾アイコンの一つと、第４の装飾アイコン群に含まれる第４の装飾アイコンの一つとが交差するように表示し、上記第１の操作子の操作に応じて上記第３の装飾アイコン群を上又は下方向に移動させ、上記第２の操作子の操作に応じて上記第４の装飾アイコン群を左又は右方向に移動させることにより、上記交差する装飾アイコンを移動表示させ、
上記確定制御部は、上記操作部の所定の決定指示操作に応じて、上記交差している第３の装飾アイコンに割り当てられているオブジェクト候補と、上記交差している第４の装飾アイコンに割り当てられている第４の装飾候補とを同時に確定することを特徴とする請求項２記載の携帯端末。
【請求項７】
エリア表示制御部が、表示部の画面内に、少なくとも所定の表示エリアとその所定の表示エリア内に配されるオブジェクトを表示するステップと、
上記表示部の上記所定の表示エリアに対して付加可能な複数の第１の装飾候補が各々割り当てられた複数の第１の装飾アイコンからなる第１の装飾アイコン群と、上記所定の表示エリア内に配される全オブジェクトに対して付加可能な複数の第２の装飾候補が各々割り当てられた複数の第２の装飾アイコンからなる第２の装飾アイコン群とを、アイコン表示制御部が上記表示部の画面上に表示させるステップと、
上記アイコン表示制御部により表示されている第１の装飾アイコン群の中から、所定の操作部が備える第１の操作子の操作に応じて所望の第１の装飾アイコンが選択された時、アイコン変更表示制御部が、当該所望の第１の装飾アイコンに割り当てられている第１の装飾候補に対して視覚特性に基づく複数の第２の装飾候補を決定し、当該決定された複数の第２の装飾候補を各々表す複数の第２の装飾アイコンからなる第２の装飾アイコン群を、上記アイコン表示制御部を通じて、上記第１の装飾アイコン群と共に上記表示部の画面上に表示させるステップと、
確定制御部が、所定の操作部が備える第１の操作子の操作に応じて上記第１の装飾アイコン群から選択された所望の第１の装飾アイコンに割り当てられている第１の装飾候補と、所定の操作部が備える第２の操作子の操作に応じて上記第２の装飾アイコン群から選択された所望の第２の装飾アイコンに割り当てられている第２の装飾候補とを求め、所定の操作部の所定の決定指示操作に応じてそれら第１の装飾候補及び第２の装飾候補の確定を行うステップと、
装飾制御部が、上記確定制御部で確定された上記第１の装飾候補により上記所定の表示エリアへ装飾を付加すると共に、上記確定制御部で確定された上記第２の装飾候補により上記所定の表示エリア内に配される全オブジェクトへ装飾を付加するステップとを有する、
ことを特徴とする装飾設定方法。
【請求項８】
上記アイコン表示制御部が、表示部の上記所定の表示エリア内に配置可能な複数の異なる種類のオブジェクト候補が各々割り当てられた複数の第３の装飾アイコンからなる第３の装飾アイコン群と、上記複数の異なる種類のオブジェクト候補に対して各々付加可能な複数の第３の装飾候補が各々割り当てられた複数の第４の装飾アイコンからなる第４の装飾アイコン群とを、上記表示部の画面上に表示させるステップと、
上記アイコン表示制御部により表示されている第３の装飾アイコン群の中から、上記操作部が備える第１の操作子の操作に応じて所望の第３の装飾アイコンが選択された時、上記アイコン変更表示制御部が、当該所望の第３の装飾アイコンに割り当てられているオブジェクト候補に対して視覚特性に基づく複数の第４の装飾候補を決定し、当該決定された複数の第４の装飾候補を各々表す複数の第４の装飾アイコンからなる第４の装飾アイコン群を、上記アイコン表示制御部を通じて、上記第３の装飾アイコン群と共に上記表示部の画面上に表示させるステップと、
上記確定制御部が、上記操作部が備える第１の操作子の操作に応じて上記第３の装飾アイコン群から選択された第３の装飾アイコンに割り当てられている所望のオブジェクト候補と、上記操作部が備える第２の操作子の操作に応じて上記第４の装飾アイコン群から選択された所望の第４の装飾アイコンに割り当てられている第４の装飾候補とを求め、上記操作部の所定の決定指示操作に応じてそれらオブジェクト候補及び第４の装飾候補の確定を行うステップと、
上記装飾制御部が、上記確定制御部で確定された上記第４の装飾候補が付加されたオブジェクト候補を上記所定の表示エリアの所定位置へ配置する装飾を施すステップとを有することを特徴とする請求項７記載の装飾設定方法。
【請求項９】
オブジェクトが配される所定の表示エリアを、表示部の画面内に表示するエリア表示制御部と、
表示部の上記所定の表示エリアに対して付加可能な複数の第１の装飾候補が各々割り当てられた複数の第１の装飾アイコンからなる第１の装飾アイコン群と、上記所定の表示エリア内に配される全オブジェクトに対して付加可能な複数の第２の装飾候補が各々割り当てられた複数の第２の装飾アイコンからなる第２の装飾アイコン群とを、表示部の画面上に表示させるアイコン表示制御部と、
上記アイコン表示制御部により表示されている第１の装飾アイコン群の中から、所定の操作部が備える第１の操作子の操作に応じて所望の第１の装飾アイコンが選択された時、当該所望の第１の装飾アイコンに割り当てられている第１の装飾候補に対して視覚特性に基づく複数の第２の装飾候補を決定し、当該決定された複数の第２の装飾候補を各々表す複数の第２の装飾アイコンからなる第２の装飾アイコン群を、上記アイコン表示制御部を通じて、上記第１の装飾アイコン群と共に上記表示部の画面上に表示させるアイコン変更表示制御部と、
所定の操作部が備える第１の操作子の操作に応じて上記第１の装飾アイコン群から選択された所望の第１の装飾アイコンに割り当てられている第１の装飾候補と、所定の操作部が備える第２の操作子の操作に応じて上記第２の装飾アイコン群から選択された所望の第２の装飾アイコンに割り当てられている第２の装飾候補とを求め、上記操作部の所定の決定指示操作に応じてそれら第１の装飾候補及び第２の装飾候補の確定を行う確定制御部と、
上記確定制御部で確定された上記第１の装飾候補により上記所定の表示エリアへ装飾を付加すると共に、上記確定制御部で確定された上記第２の装飾候補により上記所定の表示エリア内に配される全オブジェクトへ装飾を付加する装飾制御部として、
携帯端末を機能させることを特徴とする装飾設定プログラム。
【請求項１０】
上記アイコン表示制御部は、上記表示部の上記所定の表示エリア内に配置可能な複数の異なる種類のオブジェクト候補が各々割り当てられた複数の第３の装飾アイコンからなる第３の装飾アイコン群と、上記複数の異なる種類のオブジェクト候補に対して各々付加可能な複数の第３の装飾候補が各々割り当てられた複数の第４の装飾アイコンからなる第４の装飾アイコン群とを上記表示部の画面上に表示させ、
上記アイコン変更表示制御部は、上記アイコン表示制御部により表示されている第３の装飾アイコン群の中から、上記操作部が備える第１の操作子の操作に応じて所望の第３の装飾アイコンが選択された時、当該所望の第３の装飾アイコンに割り当てられているオブジェクト候補に対して視覚特性に基づく複数の第４の装飾候補を決定し、当該決定された複数の第４の装飾候補を各々表す複数の第４の装飾アイコンからなる第４の装飾アイコン群を、上記アイコン表示制御部を通じて、上記第３の装飾アイコン群と共に上記表示部の画面上に表示させ、
上記確定制御部は、上記操作部が備える第１の操作子の操作に応じて上記第３の装飾アイコン群から選択された第３の装飾アイコンに割り当てられている所望のオブジェクト候補と、上記操作部が備える第２の操作子の操作に応じて上記第４の装飾アイコン群から選択された所望の第４の装飾アイコンに割り当てられている第４の装飾候補とを求め、上記操作部の所定の決定指示操作に応じてそれらオブジェクト候補及び第４の装飾候補の確定を行い、
上記装飾制御部は、上記確定制御部で確定された上記第４の装飾候補が付加されたオブジェクト候補を上記所定の表示エリアの所定位置へ配置する装飾を施すように、携帯端末を機能させることを特徴とする請求項９記載の装飾設定プログラム。
【発明の詳細な説明】
【技術分野】
【０００１】
本発明は、例えば携帯電話端末やＰＤＡ（Personal Digital(Data） Assistants）等の携帯端末と、例えばディスプレイ上に表示される文字，記号等のオブジェクトとその背景の配色等の装飾を設定する際に好適な装飾設定方法及び装飾設定プログラムに関する。
【背景技術】
【０００２】
従来より、特開２００６−２２７８４４号の公開特許公報（特許文献１）には、例えば携帯電話端末やＰＤＡ等のように、ディスプレイの画面サイズが小さく、一画面内に表示可能な情報量が限られ、また筐体が小さいためにユーザにより操作可能なデバイスの搭載数も限られているような携帯端末において、その携帯端末のディスプレイ上に表示される文字等の或るオブジェクトに対して色とサイズを指定した装飾を施すような場合に、ディスプレイ上に「色／サイズ」の装飾指定用ウィンドウを表示し、その装飾指定用ウィンドウには、端末筐体上の方向指示デバイスの方向指示と決定ボタンによる決定指示に対応するように、文字の各色を表す各アイコンが横方向に配列したカラーパレットと、文字の各サイズを表す各アイコンが縦方向に配列したサイズパレットとを、交差部分で両アイコンが重なる形で配置し、そして、カラーパレットの各アイコンが方向指示デバイスの左右方向指示操作に応じて選択され、サイズパレットの各アイコンが上下方向指示操作に応じて選択された上で、決定ボタンの押下操作によりそれら選択が確定された時に、それらカラーパレットとサイズパレットの各アイコンに対応した色とサイズを、当該文字の色及びサイズとして決定することにより、ディスプレイ上に表示される文字等のオブジェクトに装飾を付加する際のユーザ操作数を削減し、ユーザによるオブジェクトへの装飾付加操作の効率を高めることが可能となされた、携帯端末及びオブジェクト装飾方法が開示されている。
【０００３】
【特許文献１】特開２００６−２２７８４４号公報（図４）
【発明の開示】
【発明が解決しようとする課題】
【０００４】
ところで、例えば電子メール本文の文字表示エリア内に文字や記号等のオブジェクトが入力された場合において、その文字表示エリア内に表示される文字や記号等の色をユーザが所望の色に設定した場合、その文字等の色が、上記電子メールの文字表示エリアの色（つまり文字等が配置される場所の背景色）とマッチしなくなってしまうことがある。すなわち例えば、電子メールの文字表示エリアの背景色が白色であるような場合に、文字等の色を白系統の色に設定してしまうと、当該文字等が背景に溶け込んでしまい非常に見難いものとなる。
【０００５】
勿論、背景色と文字等の色とを各々全く異なる系統の色に設定すれば、文字等が背景に溶け込むようなことは起こらなくなる。しかしならが、その場合、文字等の色と背景色とが、人間の色彩感覚から判断して必ずしも良い配色になるとは限らず、色彩感覚的に非常に違和感のある配色になってしまう可能性がある。
【０００６】
一方で、例えば電子メールの文字等の色と背景色との配色を、例えば色彩感覚的に好ましく違和感も少ない配色に設定することができれば、そのメール作成者の意図を相手方に的確に伝え易くなるばかりか、相手方の注意を引きつけ易くなるなどの効果が得られると思われる。しかしながら、そのような配色を設定することは、よほど色彩感覚に優れた人でなければ難しく、一般的な色彩感覚しか持ち合わせていない人の場合には、それらの配色を決定するまでに試行錯誤を繰り返すことになり、非常に効率が悪くなってしまう。勿論、色彩感覚に優れた人であっても、背景色と文字等の色を個別に選択して色彩的に良い配色を設定することは非常に面倒な作業である。
【０００７】
本発明は、このような実情に鑑みて提案されたものであり、ディスプレイ上に表示される文字や記号等のオブジェクトの色とその背景色の配色を、色彩感覚的に良く違和感も少ない配色に、効率よく設定することを可能とする、携帯端末、装飾設定方法及び装飾設定プログラムを提供することを目的とする。
【課題を解決するための手段】
【０００８】
本発明の携帯端末は、少なくともオブジェクトを含む画像を表示するための表示部と、ユーザによる操作に応じた操作信号を発生する少なくとも第１及び第２の操作子を備えた操作部と、オブジェクトが配される所定の表示エリアを表示部の画面内に表示するエリア表示制御部と、所定の表示エリアに対して付加可能な複数の第１の装飾候補が各々割り当てられた複数の第１の装飾アイコンからなる第１の装飾アイコン群と、所定の表示エリア内に配される全オブジェクトに対して付加可能な複数の第２の装飾候補が各々割り当てられた複数の第２の装飾アイコンからなる第２の装飾アイコン群とを、画面上に表示させるアイコン表示制御部と、第１の装飾アイコン群の中から操作部の第１の操作子の操作に応じて所望の第１の装飾アイコンが選択された時、当該所望の第１の装飾アイコンに割り当てられている第１の装飾候補に対して視覚特性に基づく複数の第２の装飾候補を決定し、当該決定された複数の第２の装飾候補を各々表す複数の第２の装飾アイコンからなる第２の装飾アイコン群を第１の装飾アイコン群と共に表示部の画面上に表示させるアイコン変更表示制御部と、操作部の第１の操作子の操作に応じて第１の装飾アイコン群から選択された所望の第１の装飾アイコンに割り当てられている第１の装飾候補と、操作部の第２の操作子の操作に応じて第２の装飾アイコン群から選択された所望の第２の装飾アイコンに割り当てられている第２の装飾候補とを求め、操作部の所定の決定指示操作に応じてそれら第１の装飾候補及び第２の装飾候補の確定を行う確定制御部と、確定された第１の装飾候補により所定の表示エリアへ装飾を付加すると共に、確定された第２の装飾候補により所定の表示エリア内に配される全オブジェクトへ装飾を付加する装飾制御部とを有することにより、上述した課題を解決する。
【０００９】
ここで、本発明の携帯端末において、アイコン表示制御部は、所定の表示エリア内に配置可能な複数の異なる種類のオブジェクト候補が各々割り当てられた複数の第３の装飾アイコンからなる第３の装飾アイコン群と、複数の異なる種類のオブジェクト候補に対して各々付加可能な複数の第３の装飾候補が各々割り当てられた複数の第４の装飾アイコンからなる第４の装飾アイコン群とを画面上に表示させ、アイコン変更表示制御部は、第３の装飾アイコン群の中から、操作部の第１の操作子の操作に応じて所望の第３の装飾アイコンが選択された時、当該所望の第３の装飾アイコンに割り当てられているオブジェクト候補に対して視覚特性に基づく複数の第４の装飾候補を決定し、当該決定された複数の第４の装飾候補を各々表す複数の第４の装飾アイコンからなる第４の装飾アイコン群を、第３の装飾アイコン群と共に表示部の画面上に表示させ、確定制御部は、操作部の第１の操作子の操作に応じて第３の装飾アイコン群から選択された第３の装飾アイコンに割り当てられている所望のオブジェクト候補と、操作部の第２の操作子の操作に応じて第４の装飾アイコン群から選択された所望の第４の装飾アイコンに割り当てられている第４の装飾候補とを求め、操作部の所定の決定指示操作に応じてそれらオブジェクト候補及び第４の装飾候補の確定を行い、装飾制御部は、確定された第４の装飾候補が付加されたオブジェクト候補を所定の表示エリアの所定位置へ配置する装飾を施すことも行う。
【００１０】
また、本発明の装飾設定方法は、表示部の画面内に少なくとも所定の表示エリアとその所定の表示エリア内に配されるオブジェクトを表示するステップと、所定の表示エリアに対して付加可能な複数の第１の装飾候補が各々割り当てられた複数の第１の装飾アイコンからなる第１の装飾アイコン群と、所定の表示エリア内に配される全オブジェクトに対して付加可能な複数の第２の装飾候補が各々割り当てられた複数の第２の装飾アイコンからなる第２の装飾アイコン群とを画面上に表示させるステップと、第１の装飾アイコン群の中から所定の操作部が備える第１の操作子の操作に応じて所望の第１の装飾アイコンが選択された時、当該所望の第１の装飾アイコンに割り当てられている第１の装飾候補に対して視覚特性に基づく複数の第２の装飾候補を決定し、当該決定された複数の第２の装飾候補を各々表す複数の第２の装飾アイコンからなる第２の装飾アイコン群を、第１の装飾アイコン群と共に表示させるステップと、操作部が備える第１の操作子の操作に応じて第１の装飾アイコン群から選択された所望の第１の装飾アイコンに割り当てられている第１の装飾候補と、操作部が備える第２の操作子の操作に応じて第２の装飾アイコン群から選択された所望の第２の装飾アイコンに割り当てられている第２の装飾候補とを求め、操作部の所定の決定指示操作に応じてそれら第１の装飾候補及び第２の装飾候補の確定を行うステップと、確定された第１の装飾候補により所定の表示エリアへ装飾を付加すると共に、確定された上記第２の装飾候補により所定の表示エリア内に配される全オブジェクトへ装飾を付加するステップとを有することにより、上述した課題を解決する。
【００１１】
また、本発明の装飾設定プログラムは、オブジェクトが配される所定の表示エリアを、表示部の画面内に表示するエリア表示制御部と、所定の表示エリアに対して付加可能な複数の第１の装飾候補が各々割り当てられた複数の第１の装飾アイコンからなる第１の装飾アイコン群と、所定の表示エリア内に配される全オブジェクトに対して付加可能な複数の第２の装飾候補が各々割り当てられた複数の第２の装飾アイコンからなる第２の装飾アイコン群とを画面上に表示させるアイコン表示制御部と、第１の装飾アイコン群の中から操作部が備える第１の操作子の操作に応じて所望の第１の装飾アイコンが選択された時、当該所望の第１の装飾アイコンに割り当てられている第１の装飾候補に対して視覚特性に基づく複数の第２の装飾候補を決定し、当該決定された複数の第２の装飾候補を各々表す複数の第２の装飾アイコンからなる第２の装飾アイコン群を、第１の装飾アイコン群と共に表示させるアイコン変更表示制御部と、操作部が備える第１の操作子の操作に応じて第１の装飾アイコン群から選択された所望の第１の装飾アイコンに割り当てられている第１の装飾候補と、操作部が備える第２の操作子の操作に応じて第２の装飾アイコン群から選択された所望の第２の装飾アイコンに割り当てられている第２の装飾候補とを求め、操作部の所定の決定指示操作に応じてそれら第１の装飾候補及び第２の装飾候補の確定を行う確定制御部と、確定された第１の装飾候補により所定の表示エリアへ装飾を付加すると共に、同じく確定された第２の装飾候補により所定の表示エリア内に配される全オブジェクトへ装飾を付加する装飾制御部として携帯端末を機能させることにより、上述した課題を解決する。
【００１２】
すなわち、本発明によれば、第１の操作子の操作により第１の装飾アイコン群に含まれる所定の装飾アイコンの選択が可能であり、第２の操作子の操作により第２の装飾アイコン群に含まれる装飾アイコンの選択が可能となされているため、それらアイコンに対応付けられている第１，第２の装飾の選択が容易となっている。また、本発明によれば、第１，第２の操作子により選択された各装飾アイコンが、操作手段からの所定の決定指示操作によって同時に確定するようになされているため、各装飾をそれぞれ個々に選択及び確定する場合と比較して、操作ステップ数を少なくしている。また、本発明によれば、第１の装飾候補が選択された時に決定される第２の装飾候補は、その第１の装飾候補に対して視覚特性に基づいて決定されたものとなされている。そして、本発明によれば、第１の装飾アイコン群と第２の装飾アイコン群の選択により所定の表示エリアに対する装飾候補とその表示エリア内の全オブジェクトに対する装飾候補を一括して決めることが出来る。
【発明の効果】
【００１３】
本発明によれば、第１，第２の操作子の操作により、第１の装飾アイコン群と第２の装飾アイコン群を選択して、所定の表示エリアに対する第１の装飾候補とその表示エリア内の全オブジェクトに対する第２の装飾候補を一括して決めることができ、また、その際の第２の装飾候補は、第１の装飾候補に対して視覚特性に基づいて決められたものとなされているため、例えば、ディスプレイ上に表示される文字や記号等のオブジェクトの色とその背景色の配色を、色彩感覚的に良く違和感も少ない配色に、効率よく設定することが可能となる。
【発明を実施するための最良の形態】
【００１４】
以下、図面を参照しながら、本発明の携帯端末及び配色設定方法の一実施形態について説明する。
【００１５】
なお、本実施形態では、本発明の携帯端末の一例として携帯電話端末を挙げている。また、本発明にかかる装飾設定の一例として、背景色を設定可能な所定の表示エリアには電子メール本文の文字表示エリアを挙げ、その所定の表示エリア内に表示されるオブジェクトには電子メール本文の文字，記号，画像、電子メールの文字表示エリアの例えば上下（文字表示エリアの左右やエリア枠でも良い）に配される装飾ヘッダ画像及び装飾フッタ画像などを挙げている。勿論、ここで説明する内容はあくまで一例であり、本発明はこの例に限定されないことは言うまでもない。
【００１６】
〔携帯電話端末の概略構成〕
図１には、本実施形態の携帯電話端末１の概略的な外観構成例を示す。
【００１７】
本実施形態の携帯電話端末１は、例えば液晶デバイスにより構成されたディスプレイ２、受話用のスピーカ３、電話番号や文字等を入力するためのキーボタンであるテンキー（１２キー）４、発話キー、クリアキー、終話／電源キーなどの各キー、メニュー操作等の際に押下される決定ボタン７（本発明にかかる所定の決定指示操作を行うための操作子）と、上下左右の方向指示（本発明にかかる第１，第２の操作子による方向指示）を行うための方向指示デバイス８、送話用のマイクロホン５等を備えている。また、図示は省略しているが、本実施形態の携帯電話端末１の筐体背面側（液晶ディスプレイ２側に対して背面側）には、カメラ部、当該カメラ部にて撮影する際の撮影補助光を発光する撮影補助ライト等が備えられている。
【００１８】
本実施形態の携帯電話端末が通常備えている回路構成やその他の構成の図示及びその説明については省略する。
【００１９】
〔携帯電話端末の概略的な内部構成〕
図２には、本実施形態の携帯電話端末１の概略的な内部回路構成を示す。
【００２０】
アンテナ１２は、例えば内蔵アンテナであり通話やパケット通信のための信号電波の送受信を行う。通信回路１１は、送受信信号の周波数変換、変調と復調等を行う。なお、パケット通信により送受信されるデータは、画像データや電子メール、プログラムデータ、その他の各種データである。
【００２１】
受信された通話音声のデータは、データラインを介して制御部１０へ送られる。制御部１０は、ＣＰＵ（中央処理装置）からなり、通話音声データを復号化し、その復号化後の音声データをデータラインを介してスピーカ１６へ送る。
【００２２】
スピーカ１６は、携帯電話端末本体に設けられている受話用のスピーカ３やリンガ（着信音）、音楽再生、アラーム音出力用のスピーカであり、ディジタル／アナログ変換器と増幅器を含み、通話音声やリンガ音のデータをディジタル／アナログ変換及び増幅した後、出力する。これにより、通話音声やリンガ音が得られることになる。
【００２３】
マイクロホン１７は、送話用のマイクロホン５に相当し、アナログ／ディジタル変換器と増幅器を含む。このマイクロホン１７を介して入力された通話音声信号は、増幅器により所定のレベルに増幅された後、アナログ／ディジタル変換器によりディジタル音声データに変換され、データラインを介して制御部１０へ送られて符号化された後、通信回路１１へ送られ、そこで変調、周波数変換等の各種処理を受けた後、通信アンテナ１２から送信される。
【００２４】
表示部１３は、前記ディスプレイ２とその表示駆動回路とを含み、上記ディスプレイ２上に、画像や操作メニュー項目等が表示される。なお、本実施形態において、上記ディスプレイ２上に例えば電子メール本文を表示するような場合、その電子メール本文の文字表示エリアには、文字，記号，画像，装飾ヘッダ画像，装飾フッタ画像等のオブジェクト及びその背景画像、操作メニュー項目等が表示される。
【００２５】
操作部１４は、本実施形態の携帯電話端末１の筐体上に設けられているテンキー４や発話キー、クリアキー、終話／電源キー、マナーキー、メモキーなどの各キー、決定ボタン７や方向指示デバイス８などの各種操作子と、それら各操作子をユーザが操作したときの当該操作に応じた操作信号を発生する操作信号発生部とを有している。なお、決定ボタン７や方向指示デバイス８、その他の各種操作子は、いわゆるタッチパネル等により形成されていても良い。
【００２６】
音声処理部１８は、上記通信アンテナ１２及び通信回路１１から受話音声データが供給された時、その受話音声データを復号化し、当該復号化後の受話音声データをデータラインを介してスピーカ１６へ送る。また、音声処理部１８は、上記マイクロホン１７から入力された送話音声データが供給された時には、その送話音声データを符号化し、データラインを介して通信回路１１へ送る。
【００２７】
画像処理部１９は、表示部１３に表示される画像の処理を行う。また、画像処理部１９は、制御部１０による制御の元で、例えば電子メール本文等の各種のユーザインターフェース画面の表示や、ウェブページの表示等を行う。
【００２８】
メモリ１５は、ＲＯＭ（Read Only Memory）とＲＡＭ（Random Access Memory）を含む。ＲＯＭは、ＯＳ（Operating System）、制御部１０が各部を制御するための制御プログラムや各種の初期設定値、フォントデータ、辞書データ、着信音やキー操作音，アラーム音用の報知音データ、電子メールの作成や編集等を行うためのアプリケーションプログラム、メモ帳の作成や編集等を行うためのアプリケーションプログラム、ウェブページを表示するためのブラウザアプリケーションプログラム、画像や音声に対して様々な処理を行うためのアプリケーションプログラム、本発明実施形態にかかる所定の表示エリアの色（背景色）とその表示エリア内に表示されるオブジェクトの色の配色などの装飾設定を行うための配色制御プログラム２１、その他、携帯電話端末に搭載される各種のアプリケーション用のプログラムコード、当該携帯電話端末の識別情報（ＩＤ）などを記憶している。このＲＯＭは、いわゆるＮＡＮＤ型フラッシュメモリ（NAND-type flash memory）のような書き換え可能なＲＯＭを含み、電子メールデータ、メモ帳データ、ユーザにより設定される電話帳や電子メールアドレス、写真画像データや音楽データ、着信音，報知音等のデータ、いわゆる予測変換の候補単語の登録データ、予測変換の学習データ、本発明実施形態にかかる配色制御プログラムが背景色とオブジェクト色の配色候補をユーザに提示する際に用いられる配色データテーブル２２、その他、各種のユーザ設定値等を保存することも可能となされている。ＲＡＭは、制御部１０が各種のデータ処理を行う際の作業領域として、随時データを格納する。
【００２９】
なお、上記メモリ１５内の上記配色データテーブル２２には、例えば電子メール本文の文字表示エリア（つまり背景）内に文字や記号等のオブジェクトが表示されるような場合に、上記文字表示エリアの色（つまり背景色）と、その背景色に対して人間の視覚特性を考慮した色彩感覚的に良くまた違和感も少ない配色となるオブジェクト色との、複数の組み合わせからなる複数の配色セットのデータが予め登録されている。また、配色データテーブル２２には、例えば電子メール本文の上下に配される装飾ヘッダ画像及び装飾フッタ画像の複数の種類と、その装飾ヘッダ画像及び装飾フッタ画像の色との、複数の組み合わせからなる複数のヘッダ／フッタ配色セットのデータも予め登録されている。特に、本実施形態において、上記人間の視覚特性を考慮した背景色とオブジェクト色の配色は、例えば背景色とオブジェクト色が近似色になって上記オブジェクトが背景に溶け込んでしまうような配色を避けつつ、人が色彩感覚的に好ましく違和感を覚えず、人に対して注意を引きつけることも可能となるような配色となされている。
【００３０】
制御部１０は、発着信の制御、着信時の報知制御、音声処理部１８や画像処理部１９の制御、その他、携帯電話端末にて一般的に行われる各構成要素の制御、各種の演算処理を行う。
【００３１】
また、本発明実施形態の場合、制御部１０は、本発明にかかる配色設定処理時に行われる各種制御、すなわち詳細については後述するが、例えば電子メールの本文作成時において、文字表示エリアの候補色（つまり背景色の候補）と、その文字表示エリア内に入れる文字，記号，画像、装飾ヘッダ画像，装飾フッタ画像等のオブジェクトの候補色とをユーザに提示するためのアイコン表示制御や、操作部１３の操作と配色セットの選択（アイコンの選択）とを対応付ける選択制御、選択された配色セットを確定する確定制御、確定された配色セットにより文字表示エリアの装飾（背景色）とオブジェクトの装飾（オブジェクト色）を施してディスプレイ表示する装飾制御等の実行と、それに伴う各種の演算処理を行う。
【００３２】
その他、図２には図示を省略しているが、本発明の携帯電話端末は、画像の撮影を行うためのカメラ部や、いわゆる電子マネーを扱うための電子財布機能部、現在位置の測位を行うためのＧＰＳ（Global Positioning System）部、例えばいわゆるブルートゥース（BlueTooth：登録商標）方式やＵＷＢ（Ultra Wide Band）方式などによる近距離無線通信を行うための近距離無線通信部、赤外線通信部、年月日時等の情報を発生したり時間を計測する時計部、外部メモリが接続されるメモリインターフェース部、外部ケーブルが接続されるケーブル用コネクタ部、キー照明や着信ライト用などのＬＥＤ（発光ダイオード）とその駆動部、バイブレータとその駆動部、各部へ電力を供給するバッテリとその電力をコントロールするパワーマネージメントＩＣ部など、一般的な携帯電話端末に設けられる各構成要素についても備えている。
【００３３】
〔オブジェクトと背景の配色を設定する際のメニュー選択〕
ここで、本実施形態の携帯電話端末は、例えば電子メール本文の作成やメモ帳の作成などの際に、ディスプレイ上に表示される所定の文字表示エリアの色（つまり背景色）と、その文字表示エリア内に配される文字，記号，画像，装飾ヘッダ画像，装飾フッタ画像等のオブジェクトの色との配色を、人間の視覚特性を考慮した色彩感覚的に良く違和感が少ない配色に効率よく設定することが可能なされている。なお、本実施形態におけるオブジェクト色と背景色の配色設定機能は、上記制御部１０がメモリ１５内の配色制御プログラム２１に基づいて実行する処理であり、以下、制御部１０の動作を中心に説明することとする。
【００３４】
先ず、本実施形態の携帯電話端末の制御部１０における上記配色設定機能は、例えばディスプレイ２上に表示される複数のメニュー項目の中で、所定の表示エリアとその表示エリア内に配されるオブジェクトへの装飾用に予め用意されているメニュー項目を、ユーザが上記方向指示デバイス８の操作により選択した時に実行可能となる。
【００３５】
本実施形態では、所定表示エリア及びオブジェクトの装飾に関連するメニューとして、上記オブジェクトの色と背景の色を、人間の視覚特性を考慮して色彩感覚的に良く違和感が少ない配色にて一括指定等するための「クイックデコレーション」のメニュー項目が少なくとも用意されている。
【００３６】
また、上記「クイックデコレーション」のメニュー項目の下位には、サブメニュー項目として、図３に示すような複数のサブメニュー項目が用意されており、当該「クイックデコレーション」のメニュー項目がユーザにより選択された場合、上記制御部１０は、図３に示すように、当該「クイックデコレーション」のサブメニュー項目を上記ディスプレイ２上に表示させる。
【００３７】
上記「クイックデコレーション」の下位のサブメニュー項目としては、少なくとも、「文字色×背景色」のメニュー項目と、「ヘッダ／フッタパターン×配色」のメニュー項目が用意されている。上記「文字色×背景色」のメニュー項目を選択した場合、ユーザは、前記図２のメモリ１５の配色データテーブル２２内に予め用意されているデータの中から、特に、文字表示エリアの背景色と当該文字表示エリア内に配される文字，記号等の色の所望の配色セットを選択することが可能となる。また、上記「ヘッダ／フッタパターン×配色」のメニュー項目を選択した場合、ユーザは、前記図２のメモリ１５の配色データテーブル２２内に予め用意されているデータの中から、特に、文字表示エリア内に配置可能な装飾ヘッダ画像及び装飾フッタ画像の種類とその装飾ヘッダ画像及び装飾フッタ画像の色の所望のヘッダ／フッタ配色セットを選択することが可能となる。
【００３８】
なお、図３では図示していないが、「クイックデコレーション」の下位サブメニュー項目として、上記「文字色×背景色」と「ヘッダ／フッタパターン×配色」の他にも、例えば一旦設定した配色を解除する「配色解除」のメニュー項目等など、種々必要に応じたメニュー項目が用意されていても良い。
【００３９】
また、図３では、オブジェクトの装飾に関連するメニューとして、装飾を施す一つのオブジェクト又は複数のオブジェクト群を指定するための「範囲指定装飾」のメニュー項目と、オブジェクト若しくは範囲指定により選択された複数のオブジェクトや背景に対して個別に装飾内容を指定するための「デコレーション」のメニュー項目も用意されている例を挙げている。
【００４０】
上記「デコレーション」のメニュー項目の下位には、図３に示すような複数のサブメニュー項目が用意されており、上記「デコレーション」のメニュー項目が選択されると、上記制御部１０は、図３に示すように、当該「デコレーション」のサブメニュー項目を上記ディスプレイ２上に表示させる。
【００４１】
上記「デコレーション」の下位のサブメニュー項目としては、「色／サイズ」のメニュー項目、「動き／位置／点滅」のメニュー項目、「画像挿入」のメニュー項目、「ライン挿入」のメニュー項目、「背景色」のメニュー項目、「装飾変更」のメニュー項目、「全解除」のメニュー項目等が用意されている。上記「色／サイズ」のメニュー項目を選択した場合、ユーザはオブジェクトの色とオブジェクトのサイズを指定可能となる。上記「動き／位置／点滅」のメニュー項目を選択した場合、ユーザはディスプレイ２上でオブジェクトの動きと表示位置と点滅の有無を指定可能となる。上記「画像挿入」のメニュー項目を選択した場合、ユーザは別途用意されている画像データフォルダの中から所望の画像を読み出してオブジェクト上に挿入表示させるための指定が可能となる。上記「ライン挿入」のメニュー項目を選択した場合、ユーザはオブジェクト近傍にラインを挿入するための指定が可能となる。上記「背景色」のメニュー項目を選択した場合、ユーザはオブジェクトの背景色を指定可能となる。上記「装飾変更」のメニュー項目を選択した場合、ユーザは装飾を変更するオブジェクトを指定するための範囲選択が可能となる。上記「全解除」のメニュー項目を選択した場合、ユーザはオブジェクトに施された装飾の解除が可能となる。
【００４２】
〔「文字色×背景色」のサブメニュー項目選択時のユーザインターフェース及び動作の概要〕
本実施形態において、前述した「クイックデコレーション」のサブメニュー項目の中から所望のメニュー項目がユーザにより選択された場合、制御部１０は、ディスプレイ２の所定の位置に、装飾指定用のユーザインターフェースウィンドウを表示させる。
【００４３】
すなわち、本実施形態の制御部１０は、ユーザにより例えば「文字色×背景色」のサブメニュー項目が選択された場合には、当該「文字色×背景色」に関する装飾指定用ウィンドウとして、例えば図４に示すようなウィンドウ３０をディスプレイ２の所定位置に表示させる。
【００４４】
本実施形態において、上記図４に示す「文字色×背景色」の装飾指定用ウィンドウ３０内には、文字表示エリアに対して設定可能な色（つまり背景色）をユーザが指定するためのパレット（本発明にかかる第１の装飾アイコン群に相当するパレット、以下、背景色パレット３１と表記する。）と、文字表示エリア内に配される文字，記号等のオブジェクトに対して設定可能な色（例えば文字色）をユーザが指定するためのパレット（本発明にかかる第２の装飾アイコン群に相当するパレット、以下、文字色パレット３２と表記する。）とが配される。
【００４５】
上記背景色パレット３１は、文字表示エリアに対して設定可能なそれぞれ異なる複数の背景色候補を個々に表す装飾アイコン（本発明にかかる第１の装飾アイコン）が、例えば図４中の横方向に配列されたものである。なお、本実施形態では、各背景色の装飾アイコンを特に背景色アイコンと表記し、また、図中のＢ０〜Ｂ１１はそれぞれ異なる背景色を表している。
【００４６】
上記文字色パレット３２は、上記背景色パレット３１から何れかの背景色が選択された時に、その背景色に対して人間の視覚特性を基に色彩感覚的に推奨される複数の文字色の候補を個々に表す装飾アイコン（本発明にかかる第２の装飾アイコン）が、例えば図４中の縦方向に配列されたものである。なお、本実施形態では、各文字色の装飾アイコンを特に文字色アイコンと表記し、図中のＣ１〜Ｃ４はそれぞれ異なる文字色を表している。
【００４７】
また、上記複数の背景色アイコンが図４中の横方向に配列された背景色パレット３１と上記複数の文字色アイコンが図４中の縦方向に配列された文字色パレット３２は、方向指示デバイス８における指示可能な方向と対応するように表示されると共に、横方向の背景色パレット３１と縦方向の文字色パレット３２の交差位置における一組の背景色アイコンと文字色アイコンとが重なる形で配置されて表示されており、さらに、背景色パレット３１と文字色パレット３２の交差位置の一組の背景色アイコンと文字色アイコンは、決定ボタン７に対応付けられている。
【００４８】
すなわち本実施形態において、図４の例では、背景色パレット３１中の背景色Ｂ５の背景色アイコンと文字色パレット３２中の文字色Ｃ２の文字色アイコンとが、上記交差位置の一組のアイコンとなされており、当該交差位置の背景色アイコンに割り当てられている背景色Ｂ５と上記文字色アイコンに割り当てられている文字色Ｃ２とが現時点で選択されている状態を表している。したがって、この図４の状態の時に、ユーザにより例えば決定ボタン７が押されると、文字表示エリアの背景色は上記交差位置の背景色アイコンに割り当てられている背景色Ｂ５に決定され、且つ、文字表示エリア内の文字等は同じく交差位置の文字色アイコンに割り当てられている文字色Ｃ２に決定されることになる。
【００４９】
なお、本実施形態において、背景色パレット３１と文字色パレット３２の交差位置のアイコンは、他のアイコンと区別可能な表示状態（例えばいわゆるフォーカスが当てられた表示状態）となされている。以下、上記フォーカスが当てられている表示状態の上記交差位置のアイコンを、特にフォーカスアイコン３３と表記することにする。また、上記「文字色×背景色」の装飾指定用ウィンドウ３０において、上記背景色パレット３１と文字色パレット３２以外の領域３４は、上記背景色パレット３１にて選択中の背景色と上記文字色パレット３２にて選択中の文字色とをサンプル表示する領域となされている。
【００５０】
ここで、本実施形態において、上記図４の状態で上記決定ボタン７による背景色及び文字色の確定指示がなされる前に、ユーザにより方向指示デバイス８が例えば左方向へ２回押下操作されると、図５に示すように、上記フォーカスアイコン３３は上記背景色パレット３１中の背景色Ｂ８の背景色アイコン上に移動することになる。
【００５１】
この時、制御部１０は、上記文字色パレット３２内の各文字色アイコンに割り当てられていた文字色を、上記背景色パレット３１の中で選択状態となっている背景色アイコンの背景色Ｂ８に対して、人間の視覚特性を基に色彩感覚的に推奨される複数の文字色に変更する制御を行う。すなわちこの図５の例の場合、文字色パレット３２内の各文字色アイコンに割り当てられる文字色は、前述の図４に示したように背景色Ｂ５に対応した前記Ｃ１〜Ｃ４の文字色ではなく、現時点で選択されている背景色アイコンの背景色Ｂ８に対して人間の視覚特性を基に色彩感覚的に推奨される複数の文字色Ｃ１１〜Ｃ１４に変更される。なお、上記Ｃ１１〜Ｃ１４により表される四つの文字色はそれぞれ異なる色となされるが、上記図４のＣ１〜Ｃ４の四つの文字色と上記図５のＣ１１〜Ｃ１４の四つの文字色は、それぞれ異なる色であっても、また、それぞれ同じ色であって、或いは、四つのうち一部が同じ色で他は異なる色であっても良い。この図５の状態の時に、ユーザにより例えば決定ボタン７が押されると、文字表示エリアの背景色は上記フォーカスアイコン３３の背景色アイコンに割り当てられている背景色Ｂ８に決定され、且つ、文字表示エリア内の文字等は同じくフォーカスアイコン３３の文字色アイコンに割り当てられている文字色Ｃ１２に決定されることになる。
【００５２】
さらに、上記図５の状態で上記決定ボタン７による背景色及び文字色の確定指示がなされる前に、ユーザにより方向指示デバイス８が例えば下方向へ１回押下操作されると、図６に示すように、上記フォーカスアイコン３３は上記文字色パレット３２中の文字色Ｃ１３の文字色アイコン上に移動することになる。この図６の状態の時に、ユーザにより例えば決定ボタン７が押されると、文字表示エリアの背景色は上記フォーカスアイコン３３の背景色アイコンに割り当てられている背景色Ｂ５に決定され、且つ、文字表示エリア内の文字等は上記フォーカスアイコン３３の文字色アイコンに割り当てられている文字色Ｃ１３に決定されることになる。
【００５３】
上述したように、本実施形態の携帯電話端末によれば、「クイックデコレーション」のサブメニュー項目の中から「文字色×背景色」のサブメニュー項目が選択された場合、ディスプレイ２上には「文字色×背景色」の装飾指定用ウィンドウ３０が表示され、当該「文字色×背景色」の装飾指定用ウィンドウ３０では、人間の視覚特性を基に色彩感覚的に推奨される背景色と文字色の配色セットがユーザへ提示され、また、「文字色×背景色」の装飾指定用ウィンドウ３０では、方向指示デバイス８の方向指示と決定ボタン７による確定指示により、背景色と文字色を一括して効率良く指定することができるようになっている。
【００５４】
〔「ヘッダ／フッタパターン×配色」のサブメニュー項目選択時のユーザインターフェース及び動作の概要〕
本実施形態において、上述した「クイックデコレーション」のサブメニュー項目の中から、例えば「ヘッダ／フッタパターン×配色」のサブメニュー項目がユーザにより選択された場合、制御部１０は、「ヘッダ／フッタパターン×配色」に関する装飾指定用ウィンドウとして、例えば図７に示すようなウィンドウ３７をディスプレイ２の所定位置に表示させる。なお、「ヘッダ／フッタパターン×配色」の装飾指定用ウィンドウ３７は、そのサブメニュー項目がユーザにより選択された場合だけでなく、例えば上記「文字色×背景色」の装飾指定用ウィンドウ３０にて文字色と背景色の配色が確定された後に、自動的に表示されても良い。
【００５５】
本実施形態において、上記図７に示す「ヘッダ／フッタパターン×配色」の装飾指定用ウィンドウ３７内には、文字表示エリア内の例えば上下に配置可能な装飾ヘッダ画像及び装飾フッタ画像の種類をユーザが指定するためのパレット（本発明にかかる第３の装飾アイコン群に相当するパレット、以下、ヘッダ／フッタパターンパレット３８と表記する。）と、上記装飾ヘッダ画像及び装飾フッタ画像に対して設定可能な色をユーザが指定するためのパレット（本発明にかかる第４の装飾アイコン群に相当するパレット、以下、ヘッダ／フッタ配色パレット３９と表記する。）とが配される。
【００５６】
上記ヘッダ／フッタパターンパレット３８は、文字表示エリアの上下に配置可能なそれぞれ異なる複数の装飾ヘッダ画像候補及び装飾フッタ画像候補を個々に表す装飾アイコンが、例えば図７中の横方向に配列されたものである。なお、本実施形態では、装飾ヘッダ画像候補及び装飾フッタ画像候補の装飾アイコンを特にヘッダ／フッタパターンアイコンと表記する。なお、本実施形態において、文字表示エリアの上下に配置される装飾ヘッダ画像と装飾フッタ画像は同じ画像となされているが、それらは互いに異なる画像であっても良い。
【００５７】
上記ヘッダ／フッタ配色パレット３９は、上記ヘッダ／フッタパターンパレット３８から何れかの種類の装飾ヘッダ画像候補及び装飾フッタ画像候補が選択された時に、その種類の装飾ヘッダ画像候補及び装飾フッタ画像候補に対して設定可能な複数の色の候補を個々に表す装飾アイコンが、例えば図７中の縦方向に配列されたものである。なお、本実施形態では、装飾ヘッダ画像候補及び装飾フッタ画像候補の色の装飾アイコンを特にヘッダ／フッタ配色アイコンと表記し、図中のＣ２１〜Ｃ２４はそれぞれ異なる画像色を表している。この場合の画像色については、上記選択された装飾ヘッダ画像候補及び装飾フッタ画像候補に対して人間の視覚特性を基に色彩感覚的に推奨される画像色にすることができる。また、図７の「ヘッダ／フッタパターン×配色」の装飾指定用ウィンドウ３７が、例えば前述の「文字色×背景色」の装飾指定用ウィンドウ３０にて文字色と背景色の配色が確定された後に表示されたものである場合には、装飾ヘッダ画像候補及び装飾フッタ画像候補の画像色を、先に確定された背景色に対して人間の視覚特性を基に色彩感覚的に推奨される画像色にすることが望ましい。
【００５８】
また、本実施形態の「ヘッダ／フッタパターン×配色」の装飾指定用ウィンドウ３７においても前述の「文字色×背景色」の装飾指定用ウィンドウ３０の場合と同様に、上記複数のヘッダ／フッタパターンアイコンが図７中の横方向に配列されたヘッダ／フッタパターンパレット３８と、上記複数のヘッダ／フッタ配色アイコンが図７中の縦方向に配列されたヘッダ／フッタ配色パレット３９とは、方向指示デバイス８における指示可能な方向と対応するように表示されると共に、横方向のヘッダ／フッタパターンパレット３８と縦方向のヘッダ／フッタ配色パレット３９の交差位置における一組のヘッダ／フッタパターンアイコンとヘッダ／フッタ配色アイコンとが重なる形で配置されて表示されており、さらに、ヘッダ／フッタパターンパレット３８とヘッダ／フッタ配色パレット３９の交差位置の一組のヘッダ／フッタパターンアイコンとヘッダ／フッタ配色アイコンは、フォーカスが当てられたフォーカスアイコン３３となされて、前記決定ボタン７に対応付けられている。
【００５９】
すなわち本実施形態において、図７の例では、ヘッダ／フッタパターンパレット３８中の「白丸画像」のヘッダ／フッタパターンアイコンとヘッダ／フッタ配色パレット３９中の画像色Ｃ２１のヘッダ／フッタ配色アイコンとが、上記フォーカスアイコン３３となされており、当該フォーカスアイコン３３のヘッダ／フッタパターンアイコンに割り当てられている「白丸画像」と上記ヘッダ／フッタ配色アイコンに割り当てられている画像色Ｃ２１とが現時点で選択されている状態を表している。したがって、この図７の状態の時に、ユーザにより例えば決定ボタン７が押されると、文字表示エリアの上下に配される装飾ヘッダ画像及び装飾フッタ画像は、上記フォーカスアイコン３３のヘッダ／フッタパターンアイコンに割り当てられている「白丸画像」に決定され、且つ、その装飾ヘッダ画像及び装飾フッタ画像の色は同じくフォーカスアイコン３３のヘッダ／フッタ配色アイコンに割り当てられている画像色Ｃ２１に決定されることになる。
【００６０】
なお、当該「ヘッダ／フッタパターン×配色」の装飾指定用ウィンドウ３７において、ヘッダ／フッタパターンパレット３８とヘッダ／フッタ配色パレット３９以外の領域４０は、上記ヘッダ／フッタパターンパレット３８にて選択中の装飾ヘッダ画像候補及び装飾フッタ画像候補と、上記ヘッダ／フッタ配色パレット３９にて選択中の装飾ヘッダ画像候補及び装飾フッタ画像候補の色とが、サンプル表示される領域となされている。ここで、本実施形態において、当該「ヘッダ／フッタパターン×配色」の装飾指定用ウィンドウ３７が、例えば前述の「文字色×背景色」の装飾指定用ウィンドウ３０にて文字色と背景色の配色が確定された後に表示された場合、上記サンプル表示される領域４０の背景色は、先の「文字色×背景色」の装飾指定用ウィンドウ３０にて確定された背景色となされる。また本実施形態において、当該「ヘッダ／フッタパターン×配色」の装飾指定用ウィンドウ３７が、「文字色×背景色」の装飾指定用ウィンドウ３０にて文字色と背景色の配色が確定された後に表示された場合には、上記ヘッダ／フッタパターンパレット３８とヘッダ／フッタパターンパレット３８内の各アイコンの色についても、先の「文字色×背景色」の装飾指定用ウィンドウ３０にて確定された背景色と同じ色になされる。すなわち、本実施形態において、図７の「ヘッダ／フッタパターン×配色」の装飾指定用ウィンドウ３７が、例えば前述の「文字色×背景色」の装飾指定用ウィンドウ３０にて文字色と背景色の配色が確定された後に表示された場合、上記文字表示エリアの背景色は、先の「文字色×背景色」の装飾指定用ウィンドウ３０にて確定された背景色がそのまま採用されることになる。
【００６１】
ここで、本実施形態において、上記図７の状態で上記決定ボタン７による装飾ヘッダ画像及び装飾フッタ画像及びその画像色の確定指示がなされる前に、ユーザにより方向指示デバイス８が例えば右方向へ１回押下操作されると、図８に示すように、上記フォーカスアイコン３３は上記ヘッダ／フッタパターンパレット３８中の「黒四角画像」のヘッダ／フッタパターンアイコン上に移動することになる。
【００６２】
この時、制御部１０は、上記ヘッダ／フッタ配色パレット３９内のヘッダ／フッタ配色アイコンに割り当てられている「黒四角画像」の画像色を、ヘッダ／フッタパターンパレット３８の中で選択状態になっているヘッダ／フッタパターンアイコンの「黒四角画像」に対して、例えば人間の視覚特性を基に色彩感覚的に推奨される複数の画像色に変更する制御を行う。すなわちこの図８の例の場合、ヘッダ／フッタ配色アイコンに割り当てられている「黒四角画像」の画像色は、前述の図７に示した「白丸画像」に割り当てられていた前記Ｃ２１〜Ｃ２４の画像色ではなく、現時点で選択されている「黒四角画像」に対して人間の視覚特性を基に色彩感覚的に推奨される複数の画像色Ｃ３１〜Ｃ３４に変更される。なお、上記Ｃ３１〜Ｃ３４により表される四つの画像色はそれぞれ異なる色となされるが、上記図７のＣ２１〜Ｃ２４の四つの画像色と上記図８のＣ３１〜Ｃ３４の四つの画像色は、それぞれ異なる色であっても、また、それぞれ同じ色であって、或いは、四つのうち一部が同じ色で他は異なる色であっても良い。この図８の状態の時に、ユーザにより例えば決定ボタン７が押されると、文字表示エリアの上下に配される装飾ヘッダ画像及び装飾フッタ画像は、上記フォーカスアイコン３３のヘッダ／フッタパターンアイコンに割り当てられている「黒四角画像」に決定され、且つ、その装飾ヘッダ画像及び装飾フッタ画像の色は同じくフォーカスアイコン３３のヘッダ／フッタ配色アイコンに割り当てられている画像色Ｃ３１に決定されることになる。
【００６３】
さらに、上記図８の状態で上記決定ボタン７による装飾ヘッダ画像及び装飾フッタ画像及びその画像色の確定指示がなされる前に、ユーザにより方向指示デバイス８が例えば下方向へ１回押下操作されると、図９に示すように、上記フォーカスアイコン３３は上記ヘッダ／フッタ配色パレット３９中の画像色Ｃ３２のヘッダ／フッタ配色アイコン上に移動することになる。この図９の状態の時に、ユーザにより例えば決定ボタン７が押されると、文字表示エリアの上下に配される装飾ヘッダ画像及び装飾フッタ画像は、上記フォーカスアイコン３３のヘッダ／フッタパターンアイコンに割り当てられている「黒四角画像」に決定され、且つ、その装飾ヘッダ画像及び装飾フッタ画像の色は同じくフォーカスアイコン３３のヘッダ／フッタ配色アイコンに割り当てられている画像色Ｃ３２に決定されることになる。
【００６４】
上述したように、本実施形態の携帯電話端末によれば、「クイックデコレーション」のサブメニュー項目の中から「ヘッダ／フッタパターン×配色」のサブメニュー項目が選択されるか、若しくは前述の「文字色×背景色」の装飾指定用ウィンドウ３０で背景色及び文字色が確定された後に自動的に表示が切り替えられて、ディスプレイ２上に「ヘッダ／フッタパターン×配色」の装飾指定用ウィンドウ４０が表示されると、当該「ヘッダ／フッタパターン×配色」の装飾指定用ウィンドウ４０では、文字表示エリア内に配置可能な装飾ヘッダ画像及び装飾フッタ画像の種類と、それら装飾ヘッダ画像及び装飾フッタ画像の画像色のセットがユーザへ提示され、また、当該「ヘッダ／フッタパターン×配色」の装飾指定用ウィンドウ４０では、方向指示デバイス８の方向指示と決定ボタン７による決定指示により、装飾ヘッダ画像及び装飾フッタ画像の種類とその画像色を一括して効率良く指定することができるようになっている。
【００６５】
〔オブジェクトと背景の配色及びヘッダ／フッタ装飾の具体例〕
以下、図１０〜図１２を参照しながら、例えば電子メールの作成時に文字表示エリアの背景色とその中に配置される文字色（オブジェクト色）の配色を決め、さらに文字表示エリアの上下に装飾ヘッダ画像及び装飾フッタ画像を配置するような装飾の具体例を挙げ、本実施形態の携帯電話端末の動作を説明する。なお、以下の具体例は、上記制御部１０がメモリ１５内の配色制御プログラム２１と電子メールプログラムに基づいて実行する処理であり、制御部１０の動作を中心に説明することとする。
【００６６】
図１０には、電子メール本文の作成途中若しくは作成終了後に、前述の「クイックデコレーション」のサブメニュー項目の中から「文字色×背景色」のメニュー項目が選択されて、ユーザによる文字色と背景色の配色の設定が可能となされている時の、当該電子メールのディスプレイ表示画面５０の一例を示している。
【００６７】
この図１０の例の場合、ディスプレイ２の表示画面５０は、大まかに、メール本文が表示される文字表示エリア５１と、操作部１４の所定のキーと対応付けられたソフトキーに割り当てられている機能を表示する機能表示エリア５２と、前述した「文字色×背景色」の装飾指定用ウィンドウ３０とに分けられている。
【００６８】
図１０において、文字表示エリア５１には、作成途中若しくは作成完了後の電子メール本文とカーソル５３が表示されている。「文字色×背景色」の装飾指定用ウィンドウ３０には、前述したように、背景色パレット３１、文字色パレット３２、フォーカスアイコン３３、サンプル表示領域３４等が配置されている。
【００６９】
この図１０の表示画面５０において、機能表示エリア５２内の表示に基づいてユーザにより方向指示デバイス８の操作が行われると、制御部１０は、その操作に応じて、背景色パレット３１と文字色パレット３２内でフォーカスアイコン３３の移動制御を行い、さらに決定ボタン７を介したユーザからの確定操作が行われると、上記フォーカスアイコン３３によりフォーカスが当てられている背景色アイコンの背景色と文字色アイコンの文字色の配色を確定する。
【００７０】
そして、当該確定後に、電子メール本文の作成を終了する旨の指示がユーザによりなされると、制御部１０は、上記確定した背景色及び文字色の配色となされた電子メール本文の作成を完了する。
【００７１】
図１１には、電子メール本文の作成途中若しくは作成終了後に、「クイックデコレーション」のサブメニュー項目の中から「ヘッダ／フッタパターン×配色」のサブメニュー項目が選択されるか、若しくは上記「文字色×背景色」の装飾指定用ウィンドウ３０で背景色及び文字色が確定された後に自動的に表示が切り替えられて、ユーザによる装飾ヘッダ画像及び装飾フッタ画像の種類選択及び画像色の設定が可能となされている時の、当該電子メールのディスプレイ表示画面５０の一例を示している。
【００７２】
この図１１の例の場合、ディスプレイ２の表示画面５０は、図１０と同様の文字表示エリア５１及び機能表示エリア５２と、前述した「ヘッダ／フッタパターン×配色」の装飾指定用ウィンドウ３７とに分けられている。
【００７３】
図１１において、「ヘッダ／フッタパターン×配色」の装飾指定用ウィンドウ３７には、前述したように、上記ヘッダ／フッタパターンパレット３８、ヘッダ／フッタ配色パレット３９、フォーカスアイコン３３、サンプル表示領域４０等が配置されている。
【００７４】
この図１１の表示画面５０において、機能表示エリア５２内の表示に基づいてユーザにより方向指示デバイス８の操作が行われると、制御部１０は、その操作に応じて、上記ヘッダ／フッタパターンパレット３８とヘッダ／フッタ配色パレット３９内でフォーカスアイコン３３の移動制御を行い、さらに決定ボタン７を介したユーザからの確定操作が行われると、上記フォーカスアイコン３３によりフォーカスが当てられているヘッダ／フッタパターンアイコンの装飾ヘッダ画像及び装飾フッタ画像の種類とフォーカスアイコン３３のヘッダ／フッタ配色アイコンの画像色を確定する。
【００７５】
そして、当該確定後に、電子メール本文の作成を終了する旨の指示がユーザによりなされると、制御部１０は、上記確定した装飾ヘッダ画像及び装飾フッタ画像の種類と画像色となされた電子メール本文の作成を完了する。
【００７６】
図１２には、図１０にて背景色及び文字色の配色が設定され、さらに図１１にて装飾ヘッダ画像及び装飾フッタ画像の種類と画像色が設定された後の、電子メール本文の文字表示エリア５１が表示されたディスプレイ２の表示画面５０の一例を示す。
【００７７】
〔まとめ〕
以上説明したように、本実施形態の携帯電話端末によれば、ユーザは、ディスプレイ上に表示された「文字色×背景色」の装飾指定用ウィンドウ３０と「ヘッダ／フッタパターン×配色」の装飾指定用ウィンドウ３７、及び、方向指示デバイス８と決定ボタン７により、人間の視覚特性を基に色彩感覚的に推奨される背景色及び文字色と、装飾ヘッダ画像及び装飾フッタ画像の種類とその画像色を、一括して効率良く指定することができ、また、文字等のオブジェクト色とその背景色の配色や装飾ヘッダ画像及び装飾フッタ画像の種類とその画像色を、色彩感覚的に良く違和感も少ないものに効率よく設定することが可能となる。
【００７８】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００７９】
上述の実施形態では、電子メール本文の作成途中若しくは作成終了後に装飾設定を行う事後装飾を例に挙げているが、本発明は電子メール本文の作成開始前に装飾設定を行う事前装飾にも勿論適用可能である。
【００８０】
また、上述の実施形態では、携帯電話端末を例に挙げているが、本発明は、ＰＤＡ等の各種の携帯端末にも適用可能である。
【図面の簡単な説明】
【００８１】
【図１】本発明実施形態の携帯電話端末の概略的な外観構成を示す図である。
【図２】本発明実施形態の携帯電話端末の概略的な内部回路構成を示すブロック図である。
【図３】「クイックデコレーション」メニューが選択された場合のサブメニュー項目の説明に用いる図である。
【図４】「文字色×背景色」のサブメニュー項目が選択されることでディスプレイの所定位置に表示される「文字色×背景色」に関する装飾指定用ウィンドウの一例を示す図である。
【図５】「文字色×背景色」の装飾指定用ウィンドウ内で、図４の状態からフォーカスアイコンを左方向に３アイコン分の移動させた状態の説明に用いる図である。
【図６】「文字色×背景色」の装飾指定用ウィンドウ内で、図５の状態からフォーカスアイコンを下方向に１アイコン分の移動させた状態の説明に用いる図である。
【図７】「ヘッダ／フッタパターン×配色」に関する装飾指定用ウィンドウの一例を示す図である。
【図８】「ヘッダ／フッタパターン×配色」の装飾指定用ウィンドウ内で、図７の状態からフォーカスアイコンを右方向に１アイコン分の移動させた状態の説明に用いる図である。
【図９】「文字色×背景色」の装飾指定用ウィンドウ内で、図８の状態からフォーカスアイコンを下方向に１アイコン分の移動させた状態の説明に用いる図である。
【図１０】「クイックデコレーション」メニューから「文字色×背景色」のメニュー項目が選択されて、ユーザによる文字色と背景色の配色の設定が可能となされている時の、電子メールのディスプレイ表示画面の一例を示す図である。
【図１１】ユーザによる装飾ヘッダ画像及び装飾フッタ画像の種類選択及び画像色の設定が可能となされている時の電子メールのディスプレイ表示画面の一例を示す図である。
【図１２】図１０にて背景色及び文字色の配色が設定され、図１１にて装飾ヘッダ画像及び装飾フッタ画像の種類と画像色が設定された後の、電子メール本文の文字表示エリアが表示されたディスプレイの表示画面の一例を示す図である。
【符号の説明】
【００８２】
１  携帯電話端末、２  ディスプレイ、３，１６  スピーカ、４  テンキー、５，１７  マイクロホン、７  決定ボタン、８  方向指示デバイス、１０  制御部、１１  通信回路、１２  通信アンテナ、１３  表示部、１４  操作部、１５  メモリ、１８  音声処理部、１９  画像処理部、２１  配色制御プログラム、２２  配色データテーブル、３０  「文字色×背景色」の装飾指定用ウィンドウ、３１  背景色パレット、３２  文字色パレット、３３  フォーカスアイコン、３４，４０  サンプル表示領域、３８  ヘッダ／フッタパターンパレット、３９  ヘッダ／フッタ配色パレット、５０  電子メールのディスプレイ表示画面、５１  メール本文の文字表示エリア、５２  機能表示エリア、５３  カーソル
【図１】
2008097197.tif 000003
【図２】
2008097197.tif 000004
【図３】
2008097197.tif 000005
【図４】
2008097197.tif 000006
【図５】
2008097197.tif 000007
【図６】
2008097197.tif 000008
【図７】
2008097197.tif 000009
【図８】
2008097197.tif 000010
【図９】
2008097197.tif 000011
【図１０】
2008097197.tif 000012
【図１１】
2008097197.tif 000013
【図１２】
2008097197.tif 000014